(57)【要約】【課題】マイナスイオン付与効果を高めた濾過装置を提供する。【解決手段】第１濾材収容室１６ｂに濾材として粒状活性炭２５が充填され、原水を導入することにより浄化水を吐出する濾過装置１１において、マイナスイオン付与効果を高めるために第４濾材収容室１６ｅにガーネットセラミック、トロンセラミック及びゲルマニウムセラミックを充填してなるものである。原水は、第１濾材収容室１６ｂから第４濾材収容室１６ｅへ順に通水される。【選択図】      図１
2006007160.tif 000002
【特許請求の範囲】
【請求項１】
濾材として少なくとも活性炭を充填してなり、原水を導入することにより浄化水を吐出する濾過装置において、
前記濾材は、セラミック濾材としてのガーネットセラミックをさらに含んでなる濾過装置。
【請求項２】
前記濾材は、セラミック濾材としてのトロンセラミック及びゲルマニウムセラミックのうち少なくとも一つをさらに含んでなる請求項１に記載される濾過装置。
【請求項３】
前記原水は活性炭を通水した後、セラミック濾材を通水するよう構成されている請求項１又は請求項２に記載される濾過装置。
【発明の詳細な説明】
【技術分野】
【０００１】
本発明は、濾過装置に係り、詳しくは原水にマイナスイオンを付与することができる濾過装置に関する。
【背景技術】
【０００２】
一般に、マイナスイオンは、活性イオンとも呼ばれ老化やストレスの原因とされるプラスイオンを除去し、新陳代謝を活発にすることによって健康を保つことができると考えられている。マイナスイオンは、トルマリン等の特定の原石又は水分がぶつかり合う滝等において発生することが知られている。従来より、水道水等の原水中の塩素等の不純物を取り除く濾過装置において、マイナスイオンを付与することができる濾過装置として、特許文献１に記載される濾過装置が知られている。かかる濾過装置は、容器内に塩素除去用の活性炭フィルターが収容されるとともに、濾材としてマイナスイオン発生源となるトルマリンセラミックボール及びマイナスイオンセラミックボールが充填されている。濾過装置に水道水等の原水を通水させることにより、水道水中の塩素等の不純物が活性炭に吸着除去されると同時にトルマリンセラミックボール等によりマイナスイオンの付与が行なわれる。
【特許文献１】特開２００３−１０８４１
【発明の開示】
【発明が解決しようとする課題】
【０００３】
ところが、上記のように構成されたマイナスイオンを水道水に付与する濾過装置において、マイナスイオン発生源としてトルマリンセラミックボール及びマイナスイオンセラミックボールの２種類しか用いていないため、さらにマイナスイオン付与効果を高めた濾過装置が求められていた。
【０００４】
本発明は、従来技術の上記問題を解決するためになされたもので、その目的は、マイナスイオン付与効果を高めた濾過装置を提供することにある。
【課題を解決するための手段】
【０００５】
請求項１に記載される濾過装置は、濾材として少なくとも活性炭を充填してなり、原水を導入することにより浄化水を吐出する濾過装置において、前記濾材は、セラミック濾材としてのガーネットセラミックをさらに含んでなるものであることを要旨とした。
【０００６】
請求項２に記載される濾過装置は、請求項１の濾過装置において、濾材は、セラミック濾材としてのトロンセラミック及びゲルマニウムセラミックのうち少なくとも一つをさらに含んでなるものであることを要旨とした。
【０００７】
請求項３に記載される濾過装置は、請求項１又は請求項２に記載の濾過装置において、前記原水は活性炭を通水した後、セラミック濾材を通水するよう構成されていることを要旨とした。
【発明の効果】
【０００８】
本発明によれば、マイナスイオン付与効果を高めた濾過装置を提供することができる。
【発明を実施するための最良の形態】
【０００９】
以下、本発明を濾過装置に具体化した一実施形態を図１にしたがって説明する。
図１に示されるように、濾過装置１１は、有底円筒状の基台１２及び該基台１２上に取り付けられる有蓋円筒形状のケース体１３から構成されている。基台１２は外周面に原水を導入する導入継手１４と浄化水を吐出する吐出継手１５が取り付けられている。基台１２の中央部には長手方向に延びる導入管１２ａが配設され、一方の端部である上部開口部には導入口１２ｂが形成され、他方の端部は吐出継手１５と連通されている。
【００１０】
ケース体１３はステンレスにより成形され、上面中央部には支持孔１３ａが貫設されている。ケース体１３は下部開口部の内側に基台１２の上部開口部の外周面が当接することにより基台１２に連結される。ケース体１３の内部には複数の濾材を収容してなる円筒形状の収容体１６が収められている。収容体１６の上面には原水を収容体内に導入する導水孔１６ａが形成されている。収容体１６には吐出管１７が収容体１６の中心軸線に沿って上面及び下面を貫通するように支持されている。吐出管１７の下端部には浄化された水を吐出する吐出口１７ａが形成され、該吐出口１７ａは基台１２の導入管１２ａに連通されている。
【００１１】
棒状の支持柱１８が吐出管１７内に配設され、その上端部は支持孔１３ａに挿通支持される固定部材１９の下端面に形成されている連結孔で連結支持されるとともに、その下端部は導入管１２ａ内底部に形成される連結孔で連結支持されている。固定部材１９は吐出管１７の上端面と当接するフランジ部を有する固定リング２０を介して吐出管１７の上部内周面において支持されている。かかる構成により収容体１６は支持柱１８の外周面が吐出管１７の内周面に直接接触することなく支持柱１８により濾過装置１１内に固定支持される。収容体１６の外周面とケース体１３の内周面の間には原水通水路１３ｂが形成され、導入継手１４と収容体１６の導水孔１６ａは原水通水路１３ｂにより連通されている。
【００１２】
収容体１６の内部には円盤状の第１隔板２１、第２隔板２２、第３隔板２３、第４隔板２４が水平状態で上方から順に配設されることにより、上方から第１濾材収容室１６ｂ、第２濾材収容室１６ｃ、第３濾材収容室１６ｄ、第４濾材収容室１６ｅがそれぞれ形成される。第１隔板２１〜第４隔板２４にはそれぞれ原水を通水する複数の貫通孔２１ａ〜２４ａが形成されている。第１隔板２１の上面及び下面には不織布からなるフィルタ３１，３２が取り付けられている。第３隔板２３及び第４隔板２４の上面には各濾材収容室に充填される濾材の流失を防止するために不織布からなるフィルタ３３，３４がそれぞれ取り付けられている。
【００１３】
第１隔板２１と第２隔板２２の間には第１濾材収容室１６ｂが設けられている。第１濾材収容室１６ｂには濾材として粒状活性炭２５が充填されている。粒状活性炭２５は原水中に含まれる残留塩素、トリハロメタン等の不純物を吸着する濾材である。第１濾材収容室１６ｂの下部には第２隔板２２の上面と接するように繊維状活性炭２６が配設されている。繊維状活性炭２６は粒状活性炭２５に比べ、表面積が大きく高い吸着性能を有する濾材である。
【００１４】
第２隔板２２と第３隔板２３の間には第２濾材収容室１６ｃが設けられている。第２濾材収容室１６ｃにはＫＤＦ合金、化石サンゴ、セラミック濾材としてのπウォーターセラミック及びゼオライトを混合してなる濾材混合物２７が収容されている。ＫＤＦ合金は、農薬、亜硝酸化合物、硝酸化合物等の吸着及び抗菌作用を有する濾材である。化石サンゴは、清浄な沖縄の海で採取されるサンゴ石を使用して製造される。化石サンゴは、原水中の重金属を吸着するとともに、化石サンゴ内に含有されるミネラル分の溶出により原水を弱アルカリに変化させる作用を有する濾材である。πウォーターセラミックは原水をπ化しπウォーターを生成する濾材である。πウォーターとは超微量の二価三価鉄塩に誘導された水のことで、防腐・防黴作用、抗ウイルス作用及び制ガン作用、整腸作用、肝臓の解毒機能を高める等の効果を有すると考えられている。ゼオライトは、重金属類や農薬に対し高い吸着力を有するとともに、ナトリウムイオン、カリウムイオン、カルシウムイオンに対し、所定の濃度において平衡を保ち、これら各イオンの保持又は放出作用を有する濾材である。第２濾材収容室１６ｃに充填される各濾材の混合比率は濾過装置の使用目的、原水導入量等に応じて適時決定される。
【００１５】
第３隔板２３と第４隔板２４の間には第３濾材収容室１６ｄが設けられている。第３濾材収容室１６ｄにはセラミック濾材としてのトルマリンセラミックボール、遠赤マイナスイオンセラミックボール、サンゴセラミック及び麦飯石セラミックを混合してなる濾材混合物２８が収容されている。また、フェライト磁石２９が第３濾材収容室１６ｄ内に配置されている。フェライト磁石２９は水を磁性化することによって、水のクラスタを小さくする作用を有する。水のクラスタを小さくすることによって、体内への水の吸収率を高め、新陳代謝を促進させる効果を有することが知られている。トルマリンセラミックボールは、電気石とも呼ばれ、原水の流水力により静電気を発生させる濾材である。その静電気によりマイナスイオンを発生させるとともに遠赤外線を放射させる作用を有する。遠赤マイナスイオンセラミックボールは、マイナスイオンを発生させるとともに遠赤外線を放射させる濾材である。マイナスイオンは、特に副交感神経に作用してリラクゼーション効果を有するとともに血液の浄化作用、新陳代謝促進作用、免疫力増強作用等の作用を有する。さらに、マイナスイオンは自律神経に作用し、不眠、冷え性、肩こり改善作用を有すると考えられている。サンゴセラミックはカルシウム等のミネラル分を多く含有するセラミックであり、原水中にカルシウム等のミネラル分を補給するとともに原水をアルカリイオン化する作用を有する濾材である。麦飯石セラミックは麦飯石をセラミックに配合焼成させることにより製造される。ミネラル分を多く含有し、原水中にミネラル分を放出するとともに多量に含有されるジルコンにより遠赤外線を放射する作用を有する濾材である。第３濾材収容室１６ｄに充填される各濾材の混合比率は濾過装置の使用目的、原水導入量等に応じて適時決定される。
【００１６】
第４隔板２４と収容体１６の底面の間には第４濾材収容室１６ｅが設けられている。第４濾材収容室１６ｅには、有機ゲルマニウムセラミックボール、トロンセラミックボール、ガーネットセラミックボール及び千枚石セラミックを混合してなる濾材混合物３０が収容されている。有機ゲルマニウムセラミックボールは、正四面体を基礎とするダイアモンド型構造を有するゲルマニウム分子を含有する濾材である。有機ゲルマニウムセラミックはマイナスイオン及び遠赤外線を放出することにより、毒素の解毒・排泄作用により、新陳代謝を活発にさせると考えられている。トロンセラミックボールは、強マイナスイオン発生源であるトロン原石を含有し、原水中にマイナスイオンを付与する濾材である。ガーネットセラミックボールは遠赤外線の放射能を有するほか原水に対しマイナスイオンを付与する作用を有する濾材である。千枚石セラミックは高効率遠赤外線放射能力を有するとともに界面活性作用を有する濾材である。千枚石セラミックは千枚石を配合したセラミックを焼成することにより製造される。第４濾材収容室１６ｅに充填される各濾材の混合比率は濾過装置の使用目的、原水導入量等に応じて適時決定される。また、吐出管１７には第４濾材収容室１６ｅと吐出管１７内部とを連通させる連通孔１７ｂが形成されている。第４濾材収容室１６ｅと連通孔１７ｂの境界には樹脂焼結体からなるフィルタ３５が取り付けられている。
【００１７】
各濾材収容室１６ｂ〜１６ｅにそれぞれ収容される粒状活性炭２５、各濾材混合物２７，２８，３０の充填比率は濾過装置１１の使用目的、原水導入量等に応じて適時決定される。例えば、各濾材の交換時期が同一となるように濾材の充填量を調節すれば、すべての濾材を一度に交換することができる。各濾材の形状は使用目的等に応じ、ボール形状、粒状、粉状等の形状が使用され得る。各濾材の大きさも同様に使用目的等に応じ適宜決定され得る。また、粒形、比重及び濾過装置内を通過する原水に対する抵抗による各濾材の動静が異なることによって引き起こされる水の通り道（水穴）の発生が抑制され得るように各濾材の粒形、大きさ等を選択することが望ましい。例えば、粒形の異なる粒状活性炭とセラミックボールからなる濾材はそれぞれ別々の濾材収容室に充填される方が水穴の発生が抑制される。
【００１８】
次に、本実施形態の濾過装置１１の作用を説明する。
濾過装置１１は原水、浄水、シャワーの切り換えを行なう図示しない切換弁に接続される。濾過装置１１の導入継手１４と切換弁の原水吐出口及び濾過装置１１の吐出継手１５と切換弁の浄水導入口がそれぞれ図示しない連結ホースにより連結される。導入継手１４より濾過装置１１内に導入された原水は矢印Ａに沿って原水通水路１３ｂを通過して、矢印Ｂに沿って導水孔１６ａから収容体１６内へ導入される。収容体１６内に導入された原水は第１濾材収容室１６ｂから第４濾材収容室１６ｅへ順に通過される。原水が収容体１６の各濾材収容室１６ｂ〜１６ｅを通過する過程において、塩素等の不純物の吸着及びマイナスイオンの付与等が行なわれる。各濾材収容室１６ｂ〜１６ｅを通過した浄化水は矢印Ｃに沿って第４濾材収容室１６ｅから連通孔１７ｂを通過し、吐出口１７ａから収容体１６外へ吐出される。そして、浄化水は基台１２の導入管１２ａに導入され、吐出継手１５から濾過装置１１外へ吐出される。濾過装置１１外へ吐出された浄化水は連結ホースを介し上述した図示しない切換弁の導入口に導入される。
【００１９】
本実施形態の濾過装置１１によれば、以下のような効果を得ることができる。
（１）本実施形態では、濾材としてガーネットセラミックボールを使用した。したがって、マイナスイオン付与効果の優れた濾過装置１１を提供することができる。
【００２０】
（２）本実施形態では、濾材としてトロンセラミックボールを使用した。したがって、マイナスイオン付与効果のより優れた濾過装置１１を提供することができる。
（３）本実施形態では、濾材としてゲルマニウムセラミックボールを使用した。したがって、マイナスイオン付与効果のより優れた濾過装置１１を提供することができる。
【００２１】
（４）本実施形態では、原水が粒状活性炭２５を収容する第１濾材収容室１６ｂを通過した後にガーネットセラミックが収容される第４濾材収容室１６ｅを通過するように構成した。したがって、塩素等の不純物が吸着除去された原水にマイナスイオンを付与するため効率的かつ効果的な原水の浄化を行なうことができる。
【００２２】
（５）本実施形態では、粒状活性炭２５とガーネットセラミックボール等のセラミックボールからなる濾材を別々の濾材収容室に充填した。したがって、粒形、比重及び濾過装置内を通過する原水に対する抵抗等の相違が原因で各濾材の動静が異なることによって引き起こされる水の通り道（水穴）の発生を抑制することができる。
【００２３】
（６）本実施形態では、ガーネットセラミック等の濾材を球状のセラミックボールのものを使用した。したがって、濾材の混合作業及び収容体１６への充填作業が容易である。また、粉又は粒状のセラミックを使用した場合と異なり、目詰まり等により原水の通水性が低下するおそれが少なく、水の通り道（水穴）の発生を抑制することができる。
【００２４】
なお、上記実施形態は以下のように変更してもよい。
・上記実施形態では、原水中にマイナスイオンを付与する濾材として、トルマリンセラミックボール、遠赤マイナスイオンセラミックボール、有機ゲルマニウムセラミックボール、トロンセラミックボール、ガーネットセラミックボールを使用した。しかしながら、ガーネットセラミックボールのみを使用してもよい。
【００２５】
・上記実施形態では、濾材として使用したガーネットセラミック等はセラミックボールとして使用した。しかしながら、セラミック濾材の形状は特に限定されず、使用目的等に応じ、粉状、粒状等のものが使用され得る。
【００２６】
・上記実施形態では、濾材を収容する収容体を隔板により第１〜第４濾材収容室に仕切り、粒状活性炭等の各濾材を充填した。しかしながら、第１〜第４濾材収容室に充填される各濾材をすべて混合して収容体中に充填してもよい。
【００２７】
・第１収容室〜第４収容室に充填されている各濾材混合物の充填場所を入れ替えてもよい。
・上記実施形態では、粒状活性炭及び各濾材混合物を同じ収容体１６に充填した。しかしながら、粒状活性炭及び各濾材混合物を別々の収容体に充填するよう構成してもよい。かかる構成にすることによって各濾材混合物の取り替え作業を容易に行なうことができる。
【００２８】
・濁りや微細粒子，細菌等を取り除くことのできる中空糸フィルタを濾過装置１１内にさらに取り付けてもよい。また、重金属等の不純物を取り除くためさらにイオン交換樹脂を濾過装置１１内に充填してもよい。
【００２９】
次に、上実施形態及び別例から把握できる技術的思想について、それらの効果とともに以下に追記する。
（ａ）上記請求項に記載される濾過装置において、濾材としてイオン交換樹脂をさらに充填してなる濾過装置。従って、この（ａ）に記載の発明によれば、重金属等の不純物を取り除くことができる。
【００３０】
（ｂ）上記請求項に記載される濾過装置において、粒状の活性炭とセラミックボールからなる濾材を別々の濾材収容室に充填した濾過装置。従って、この（ｂ）に記載の発明によれば、充填濾材中に発生する水の通り道（水穴）を抑制することができる。
【図面の簡単な説明】
【００３１】
【図１】本実施形態における濾過装置の断面図
【符号の説明】
【００３２】
１１…濾過装置、１４…導入継手、１５…吐出継手、２５…粒状活性炭、１６…収容体、１６ｂ，１６ｃ，１６ｄ，１６ｅ…濾材収容室、２７，２８，３０…濾材混合物
【図１】
2006007160.tif 000003